(57)【要約】【課題】  負荷が低消費電流モードで作動する場合における暗電流の低減を図る。【解決手段】  所定の消費電流で出力端子から定電圧を出力するアクティブモード用電源回路２０と、このアクティブモード用電源回路２０よりも少ない消費電流で出力端子から定電圧を出力する低消費電流モード用電源回路３０と、マイコン４２がアクティブモードで作動する場合、アクティブモード用電源回路２０から負荷に定電圧を供給させ、マイコン４２が低消費電流モードで作動する場合、低消費電流モード用電源回路３０から負荷に定電圧を供給するように切り替えを行う切替回路１１を備える。【選択図】        図１
2006018409.tif 000002
【特許請求の範囲】
【請求項１】
通常の消費電流で作動するアクティブモードと低消費電流で作動する低消費電流モードを有する素子を含む負荷に定電圧を供給する電源回路であって、
所定の消費電流で出力端子から定電圧を出力する第１の電源回路と、
前記第１の電源回路よりも少ない消費電流で出力端子から定電圧を出力する第２の電源回路と、
前記素子が前記アクティブモードで作動する場合、前記第１の電源回路から前記負荷に定電圧を供給させ、前記素子が前記低消費電流モードで作動する場合、前記第２の電源回路から前記負荷に定電圧を供給するように切り替えを行う切替手段と、を備えたことを特徴とする電源回路。
【請求項２】
前記第２の電源回路が前記定電圧を出力する出力端子と前記第１の電源回路が前記定電圧を出力する出力端子は接続され、
前記第２の電源回路が出力する定電圧は、前記第１の電源回路が出力する定電圧よりも低くなっており、
前記第２の電源回路は、前記第２の電源回路が出力する定電圧よりも前記出力端子の電圧が低い場合、前記出力端子から前記定電圧を出力し、前記第２の電源回路が出力する定電圧よりも前記出力端子の電圧が高い場合、前記出力端子から前記定電圧の出力を停止させる出力手段を備えたことを特徴とする請求項１に記載の電源回路。
【請求項３】
前記出力手段は、ベースに一定の電圧が印加され、エミッタから前記定電圧を出力する出力段トランジスタであり、
前記出力段トランジスタのエミッタは、前記第１の電源回路の出力端子に接続されていることを特徴とする請求項２に記載の電源回路。
【請求項４】
前記切替手段は、前記第１の電源回路に備えられ、前記素子から前記アクティブモードであることを示す切替信号が入力された場合、前記第１の電源回路に定電圧を出力させ、前記素子から前記低消費電流モードであることを示す切替信号が入力された場合、前記第１の電源回路に定電圧の出力を停止させるスイッチであることを特徴とする請求項１ないし３のいずれか１つに記載の電源回路。
【請求項５】
前記第１の電源回路は、前記素子が前記アクティブモードで作動する場合における前記負荷の消費電流よりも大きな電流供給能力を有し、前記第２の電源回路は、前記素子が前記低消費電流モードで作動する場合における前記負荷の消費電流よりも大きな電流供給能力を有することを特徴とする請求項１ないし４のいずれか１つに記載の電源回路。
【請求項６】
前記第２の電源回路は、ツェナーダイオードを備え、このツェナーダイオードのツェナー電位を用いて生成した定電圧を前記出力端子から出力することを特徴とする請求項１ないし５のいずれか１つに記載の電源回路。
【請求項７】
前記第１の電源回路または第２の電源回路から出力される定電圧から、前記定電圧と異なる定電圧を生成して前記素子に供給する電源を備えたことを特徴とする請求項１ないし６のいずれか１つに記載の電源回路。
【請求項８】
前記電源回路は、混成集積回路に搭載され、この混成集積回路のほぼ全体がモールド成型されたものであることを特徴とする請求項１ないし７のいずれか１つに記載の電源回路。
【発明の詳細な説明】
【技術分野】
【０００１】
本発明は、低消費電流モードで作動する負荷に電源を供給する電源回路に関し、例えば、車両に搭載され、モータ、ソレノイド、ランプを制御するための混成集積回路などに適用される。
【背景技術】
【０００２】
従来、低消費電流モードで作動する負荷に電源を供給する電源回路として、ブリッジ整流回路を備えたスタンバイ電源回路と、ツェナーダイオードを備えたスタンバイ電源回路の２系統の電源回路を備えたものがある（例えば、特許文献１参照）。
【特許文献１】特開２０００−２３４６３号公報
【発明の開示】
【発明が解決しようとする課題】
【０００３】
上記したような電源回路は、交流電源から直流の一定電圧を生成して負荷に供給するようになっているが、自動車などの車両に搭載される電子機器の多くは、直流電源としてのバッテリーからの電源供給によって作動する。
【０００４】
例えば、車両に搭載される電子制御装置（以下、ＥＣＵという）は、バッテリーの直流電圧（例えば、１２Ｖ）から一定電圧（例えば５Ｖ）を生成する電源回路を備えている。
【０００５】
図３に、従来のＥＣＵのブロック構成を示す。図３において、ＥＣＵは、ＬＳＩ４０および複合ＩＣ２を備えている。これらのＬＳＩ４０および複合ＩＣ２は、ＥＣＵプリント板３に搭載されている。
【０００６】
ＬＳＩ４０は、電源回路６０から出力される５Ｖ電圧から３Ｖ電圧を生成してマイコン４２へ供給するマイコン用電源回路４１、メモリに記憶されたプログラムに従って、モータ、ソレノイド、ランプの制御を行うマイコン４２、電圧監視やモータの回転数を検出するために入力される各種アナログ信号をデジタル信号に変換するＡ／Ｄ変換回路４４を備えている。
【０００７】
マイコン４２は、通常の作動を行う通常消費電流のアクティブモードと、待機時に限定された作動のみを行う低消費電流の低消費電流モードを有し、イグニッションスイッチがオフしたような状態では、低消費電流モードで作動するようになっている。したがって、このようなイグニッションスイッチがオフした状態であっても、ＥＣＵは所定の暗電流を消費する。
【０００８】
複合ＩＣ５０は、電源回路６０とＬＩＮ通信用バッファ６１等を備えている。
【０００９】
ＬＩＮ通信用バッファ６１は、通信バス端子２ａを介して入力される外部信号を受信する。このＬＩＮ通信用バッファ６１によって受信された外部信号はＬＳＩ４０のマイコン４２へ入力される。なお、マイコン４２は、この外部信号等をトリガとして、アクティブモードであるか低消費電流モードであるかを示す切替信号を出力する。
【００１０】
電源回路６０は、図示しないバッテリーの直流電圧から５Ｖ電圧を生成し、ＬＳＩ４０に供給する。
【００１１】
この電源回路６０の電流供給能力は、マイコン４２がアクティブモードになった場合のＬＳＩの消費電流に基づいて設計される。例えば、マイコン４２がアクティブモードになった場合のＬＳＩ４０の消費電流が数十ｍＡ、マイコン４２が低消費電流モードになった場合のＬＳＩ４０の消費電流が数百μＡの場合、電源回路６０の電流供給能力は、マイコン４２がアクティブモードになった場合のＬＳＩ４０の消費電流である数十ｍＡ以上として設計される。
【００１２】
このため、電源回路６０は、電流駆動能力の比較的大きなトランジスタなどの部品で構成される。
【００１３】
このような電流駆動能力の大きな部品で回路が構成されると、電源回路６０の消費電流が大きくなり、負荷が低消費電流モードで作動する場合における暗電流も大きくなってしまうといった問題があった。
【００１４】
本発明は上記問題に鑑みたもので、負荷が低消費電流モードで作動する場合における暗電流の低減を図ることを目的とする。
【課題を解決するための手段】
【００１５】
上記目的を達成するため、請求項１に記載の発明では、通常の消費電流で作動するアクティブモードと低消費電流で作動する低消費電流モードを有する素子を含む負荷に定電圧を供給する電源回路であって、所定の消費電流で出力端子から定電圧を出力する第１の電源回路と、第１の電源回路よりも少ない消費電流で出力端子から定電圧を出力する第２の電源回路と、素子がアクティブモードで作動する場合、第１の電源回路から負荷に定電圧を供給させ、素子が低消費電流モードで作動する場合、第２の電源回路から負荷に定電圧を供給するように切り替えを行う切替手段と、を備えたことを特徴としている。
【００１６】
このように、切替手段は、素子が低消費電流モードで作動する場合、第２の電源回路から負荷に定電圧を供給するように切り替えを行うので、第１の電源回路から負荷に定電圧を供給する場合よりも少ない消費電流で負荷に定電圧を供給することができ、すなわち、負荷が低消費電流モードで作動する場合における暗電流の低減を図ることができる。
【００１７】
また、請求項２に記載の発明では、第２の電源回路が定電圧を出力する出力端子と第１の電源回路が定電圧を出力する出力端子は接続され、第２の電源回路が出力する定電圧は、第１の電源回路が出力する定電圧よりも低くなっており、第２の電源回路は、第２の電源回路が出力する定電圧よりも出力端子の電圧が低い場合、出力端子から定電圧を出力し、第２の電源回路が出力する定電圧よりも出力端子の電圧が高い場合、出力端子から定電圧の出力を停止させる出力手段を備えたことを特徴としている。
【００１８】
このように、出力手段は、第２の電源回路が出力する定電圧よりも出力端子の電圧が低い場合、出力端子から定電圧を出力し、第２の電源回路が出力する定電圧よりも出力端子の電圧が高い場合、出力端子から定電圧の出力を停止させることができる。
【００１９】
また、請求項３に記載の発明のように、出力手段は、ベースに一定の電圧が印加され、エミッタから定電圧を出力する出力段トランジスタであり、出力段トランジスタのエミッタと第１の電源回路の出力端子を接続することによって実現できる。
【００２０】
また、請求項４に記載の発明のように、請求項１に記載の発明における切替手段は、第１の電源回路に備えられ、素子からアクティブモードであることを示す切替信号が入力された場合、第１の電源回路に定電圧を出力させ、素子から低消費電流モードであることを示す切替信号が入力された場合、第１の電源回路に定電圧の出力を停止させるスイッチ手段を備えることによって実現することができる。
【００２１】
また、請求項５に記載の発明のように、第１の電源回路は、素子がアクティブモードで作動する場合における負荷の消費電流よりも大きな電流供給能力を有し、第２の電源回路は、素子が低消費電流モードで作動する場合における負荷の消費電流よりも大きな電流供給能力を有しているので、負荷に十分な電流を供給することができる。
【００２２】
また、請求項６に記載の発明のように、第２の電源回路としては、比較的少ない消費電流で定電圧を生成することができるツェナーダイオードを用いて構成することができる。
【００２３】
また、請求項７に記載の発明のように、第１の電源回路または第２の電源回路から出力される定電圧から、定電圧と異なる定電圧を生成して素子に供給する電源を備えることで、常時、素子に定電圧を供給することができる。
【００２４】
また、請求項８に記載の発明のように、電源回路は、混成集積回路に搭載され、モールド成型されてもよい。これにより、気密性が確保され、水等の浸入を防止できる。
【発明を実施するための最良の形態】
【００２５】
本発明の一実施形態に係る電源回路を含む混成集積回路のブロック構成を図１に示す。なお、上記した従来技術と同一部分には、同一符号を付して説明を省略し、以下異なる部分についてのみ説明する。図１に示した構成は、図３に示した構成と比較して、複合ＩＣ２の内部構成と、複合ＩＣ２およびＬＳＩ４０が複合集積回路１上に構成された点が異なる。
【００２６】
混成集積回路１は、複合ＩＣ２およびＬＳＩ４０を備え、モータ、ソレノイド、ランプ（いずれも図示せず）などを駆動、制御する比較的小規模なＥＣＵとして機能する。また、複合ＩＣ２とＬＳＩ４０は同一基板上に形成され、複合ＩＣ２とＬＳＩ４０のほぼ全体がモールド成型されている。
【００２７】
複合ＩＣ２は、アクティブモード用電源回路２０、低消費電流モード用電源回路３０、切替回路１１およびＬＩＮ通信用バッファ６１を備えている。なお、本実施形態に係る電源回路は、アクティブモード用電源回路２０、低消費電流モード用電源回路３０および切替回路１１によって構成されている。
【００２８】
アクティブモード用電源回路２０および低消費電流モード用電源回路３０は、それぞれ図示しないバッテリーの直流電圧（例えば、１２Ｖ）から直流の５Ｖ電圧を生成する。なお、本実施形態において、アクティブモード用電源回路２０が第１の電源回路に相当し、低消費電流モード用電源回路３０が第２の電源回路に相当する。
【００２９】
アクティブモード用電源回路２０は、ＬＳＩ４０のマイコン４２がアクティブモードで作動する場合にＬＳＩ４０が消費する消費電流よりも大きな電流供給能力を有し、出力端子から定電圧を出力する。
【００３０】
低消費電流モード用電源回路３０は、後述するツェナーダイオードを利用した電源により構成され、ＬＳＩ４０のマイコン４２が低消費電流モードで作動する場合におけるＬＳＩ４０の消費電流よりも大きな電流供給能力を有し、出力端子から定電圧を出力する。
【００３１】
なお、マイコン４２が低消費電流モードで作動する場合、高精度の電圧は要求されない。このため、低消費電流モード用電源回路３０は、比較的簡単な構成で低消費電流を実現できるツェナーダイオード３１を用いた電源回路により構成されている。
【００３２】
切替回路１１は、ＬＳＩ４０のマイコン４２がアクティブモードで作動する場合、アクティブモード用電源回路２０の出力電圧をＬＳＩ４０に供給し、ＬＳＩ４０のマイコン４２が低消費電流モードで作動する場合、低消費電流モード用電源回路３０の出力電圧をＬＳＩ４０に供給するように切り替えを行う。
【００３３】
図２に、アクティブモード用電源回路２０および低消費電流モード用電源回路３０の回路構成を示す。
【００３４】
まず、アクティブモード用電源回路２０について説明する。アクティブモード用電源回路２０は、温度依存性の少ないバンドギャップ基準電圧を出力するバンドギャップ回路２１、このバンドギャップ基準電圧に基づいてＮＰＮ型トランジスタ２３のベース電圧を制御する演算増幅器２２、出力段に設けられたＮＰＮ型トランジスタ２３、抵抗２４、２５、スイッチ回路２６を備えている。
【００３５】
スイッチ回路２６は、マイコン４２から入力される切替信号に応じて、バンドギャップ回路２１および演算増幅器２２にバッテリー電圧の供給の切り替えを行う。具体的には、マイコン４２からアクティブモードを示す切替信号が入力された場合、スイッチ回路２６はバンドギャップ回路２１および演算増幅器２２へのバッテリー電圧の供給を行い、マイコン４２からスイッチ回路２６に低消費電流モードを示す切替信号が入力された場合、スイッチ回路２６はバンドギャップ回路２１および演算増幅器２２へのバッテリー電圧の供給を停止させる。
【００３６】
演算増幅器２２の非反転入力端子＋には、バンドギャップ回路２１から出力されるバンドギャップ基準電圧が印加され、演算増幅器２２の反転入力端子−には、ＮＰＮ型トランジスタ２３のエミッタ電圧を抵抗２４と２５で分圧した電圧が印加されるようになっている。
【００３７】
そして、演算増幅器２２は、反転入力端子＋と非反転入力端子−間の電圧が等しくなるように作用する。このような演算増幅器２２の作用によって、抵抗２４と抵抗２５の接続点の電圧がバンドギャップ回路２１の出力電圧と等しくなり、ＮＰＮ型トランジスタ２３のエミッタから安定した高精度の５Ｖ電圧が出力される。
【００３８】
なお、アクティブモード用電源回路２０は、ＮＰＮ型トランジスタ２３のコレクタを入力端子、ＮＰＮ型トランジスタ２３のエミッタを出力端子、接地電位をグランド端子とした３端子レギュレータのようなレギュレータ電源として作動する。このような構成により、アクティブモード用電源回路２０は、高精度の定電圧を出力するようになっている。
【００３９】
また、バンドギャップ回路２１に流れる電流は数ｍＡ、演算増幅器２２に流れる電流は数ｍＡ、ＮＰＮ型トランジスタ２３に流れる電流は数十ｍＡ程度となっている。
【００４０】
次に、低消費電流モード用電源回路３０について説明する。低消費電流モード用電源回路３０は、所定のツェナー電圧を有するツェナーダイオード３１、一定の電流を供給する定電流回路３４、３５、ＰＮＰ型トランジスタ３２、出力段のＮＰＮ型トランジスタ３３を備えている。
【００４１】
ＰＮＰ型トランジスタ３２のベースには、ツェナーダイオード３１のカソードが接続され、ツェナーダイオード３１のツェナー電圧が印加される。なお、本実施形態におけるツェナーダイオード３１のツェナー電圧は４．９Ｖとなっている。
【００４２】
また、ＰＮＰ型トランジスタ３２は、ベースに印加されたツェナーダイオード３１のツェナー電圧をベース−エミッタ間電圧ＶＢＥ分たけレベルシフトする。
【００４３】
これにより、ＰＮＰ型トランジスタ３２のエミッタ電位は、ツェナーダイオード３１のツェナー電圧よりもＰＮＰ型トランジスタ３２のベース−エミッタ間電圧ＶＢＥに相当する０．７Ｖだけ高くなる。
【００４４】
また、ＮＰＮ型トランジスタ３３のベースの電位は、ＮＰＮ型トランジスタ３３のベース電位よりも、ＮＰＮ型トランジスタ３３のベース−エミッタ間電圧ＶＢＥに相当する０．７Ｖだけ低くなる。
【００４５】
したがって、ＮＰＮ型トランジスタ３３のエミッタの電位は、ツェナーダイオード３１のツェナー電圧と等しい４．９Ｖとなる。
【００４６】
このように、ＮＰＮ型トランジスタ３３のエミッタに接続された出力端子２ｃには、ツェナーダイオード３１のツェナー電圧と等しい４．９Ｖが出力される。
【００４７】
なお、定電流回路３４に流れる電流は数μＡ、定電流回路３５に流れる電流は数十μＡ、ＮＰＮ型トランジスタ３３に流れる電流は数百μＡ程度となっている。したがって、低消費電流モード用電源回路３０の消費電流は数百μＡ程度となる。
【００４８】
このように、低消費電流モード用電源回路３０は、アクティブモード用電源回路２０と比較して十分に少ない消費電流で負荷に定電圧を供給することができるように構成されている。
【００４９】
また、低消費電流モード用電源回路３０の出力端子に相当するＮＰＮ型トランジスタ３３のエミッタと、アクティブモード用電源回路２０の出力端子に相当するＮＰＮ型トランジスタ２３のエミッタは、出力端子２ｃにおいて接続されている。
【００５０】
図２に示した構成において、マイコン４２からアクティブモード用電源回路２０に低消費電流モードであることを示す切替信号が入力されると、アクティブモード用電源回路２０は定電圧の出力をオフし、低消費電流モード用電源回路３０のＰＮＰ型トランジスタ３２のベース電位は５．６Ｖ、エミッタ電位は４．９Ｖとなり、ＰＮＰ型トランジスタ３２はオン状態となる。
【００５１】
そして、ＰＮＰ型トランジスタ３２のエミッタから出力される４．９Ｖの電圧によって、出力端子２ｃの電圧は４．９Ｖとなる。
【００５２】
次に、マイコン４２からアクティブモード用電源回路２０にアクティブモードであることを示す切替信号が入力されると、アクティブモード用電源回路２０は定電圧を出力し、アクティブモード用電源回路２０から出力される５Ｖ電圧によって、出力端子２ｃの電圧は５Ｖとなる。
【００５３】
このとき、低消費電流モード用電源回路３０のＮＰＮ型トランジスタ３３のエミッタ電位が０．１Ｖ上昇して５Ｖとなり、ＮＰＮ型トランジスタ３３のベース−エミッタ間電圧が０．６Ｖとなり、ＮＰＮ型トランジスタ３３は自動的にオフ状態となる。
【００５４】
再度、アクティブモード用電源回路２０が定電圧の出力を停止すると、低消費電流モード用電源回路３０のＮＰＮ型トランジスタ３３はオン状態となり、低消費電流モード用電源回路３０から出力される４．９Ｖ電圧によって、出力端子２ｃの電圧は４．９Ｖとなる。
【００５５】
このように、アクティブモード用電源回路２０は、マイコン４２からアクティブモードであることを示す切替信号が入力されると定電圧を出力し、マイコン４２から低消費電流モードであることを示す切替信号が入力されると定電圧の出力を停止する。また、アクティブモード用電源回路２０が定電圧を出力すると、低消費電流モード用電源回路３０は自動的に定電圧の出力をオフし、アクティブモード用電源回路２０が定電圧の出力を停止すると、低消費電流モード用電源回路３０は自動的に定電圧を出力する。
【００５６】
なお、図１においては説明の簡略化のため、切替回路１１が、アクティブモード用電源回路２０の出力電圧と低消費電流モード用電源回路３０の出力電圧の切り替えを行うものとして説明したが、上記した作動によってアクティブモード用電源回路２０の出力電圧と低消費電流モード用電源回路３０の出力電圧が切り替えられる。
【００５７】
上記したように、所定の消費電流で出力端子から定電圧を出力するアクティブモード用電源回路２０と、このアクティブモード用電源回路２０よりも少ない消費電流で出力端子から定電圧を出力する低消費電流モード用電源回路３０と、マイコン４２がアクティブモードで作動する場合、アクティブモード用電源回路２０から負荷に定電圧を供給させ、マイコン４２が低消費電流モードで作動する場合、低消費電流モード用電源回路３０から負荷に定電圧を供給するように切り替えを行う切替回路１１を備えている。
【００５８】
このように、マイコン４２が低消費電流モードで作動する場合、アクティブモード用電源回路２０よりも少ない消費電流で出力端子から定電圧を出力する低消費電流モード用電源回路３０によって負荷に定電圧を供給するので、負荷が低消費電流モードで作動する場合における暗電流の低減を図ることができる。
【００５９】
また、低消費電流モード用電源回路３０が定電圧を出力する出力端子とアクティブモード用電源回路２０が定電圧を出力する出力端子は接続され、低消費電流モード用電源回路３０が出力する定電圧は、アクティブモード用電源回路２０が出力する定電圧よりも低くなっている。
【００６０】
そして、低消費電流モード用電源回路３０は、低消費電流モード用電源回路３０が出力する定電圧よりも出力端子の電圧が高い場合、出力端子から定電圧を自動的に出力し、低消費電流モード用電源回路３０が出力する定電圧よりも出力端子の電圧が低い場合、出力端子から定電圧の出力を自動的に停止することができる。
【００６１】
また、低消費電流モード用電源回路３０は、ベースに一定電圧が印加され、エミッタから定電圧を出力するＮＰＮ型トランジスタ３３を備え、このＮＰＮ型トランジスタ３３のエミッタがアクティブモード用電源回路２０の出力端子と接続されている。
【００６２】
したがって、アクティブモード用電源回路２０が定電圧を出力すると、ＮＰＮ型トランジスタ３３のエミッタの電圧が上昇し、ＮＰＮ型トランジスタ３３のベースーエミッタ間電圧が低下するため、ＮＰＮ型トランジスタ３３はオフ状態となる。したがって、低消費電流モード用電源回路３０は、定電圧の出力を停止させることができる。また、アクティブモード用電源回路２０が定電圧の出力をオフすると、低消費電流モード用電源回路３０のＮＰＮ型トランジスタ３３はオン状態となり、低消費電流モード用電源回路３０は、定電圧を出力することができる。
【００６３】
アクティブモード用電源回路２０は、マイコン４２がアクティブモードで作動する場合における負荷の消費電流よりも大きな電流供給能力を有し、低消費電流モード用電源回路３０は、マイコン４２が消費電流モードで作動する場合における負荷の消費電流よりも大きな電流供給能力を有しているので、負荷に十分な電流を供給することができる。
【００６４】
また、低消費電流モード用電源回路３０は、比較的少ない消費電流で定電圧を生成することができるツェナーダイオード３１を用いて構成することができる。
【００６５】
また、アクティブモード用電源回路２０または低消費電流モード用電源回路３０から出力される５Ｖ電圧から３Ｖ電圧を生成してマイコン４２に供給するマイコン用電源回路４１を備えているので、常時、マイコン４２に定電圧を供給することができる。
【００６６】
また、本実施形態に係る電源回路は、混成集積回路１に搭載され、モールド成型されているので気密性が確保され、水等の浸入を防止できる。
【００６７】
なお、本発明は上記実施形態に限定されるものではなく、本発明の趣旨に基づいて種々なる形態で実施することができる。
【００６８】
例えば、上記実施形態において、通常の消費電流で作動するアクティブモードと低消費電流で作動する低消費電流モードを有する素子として、マイコン４２を例に説明したが、マイコンに限定されるものではなく、例えば、通信用半導体装置などの適用することもできる。
【００６９】
また、上記実施形態では、アクティブモード用電源回路２０が定電圧の出力をオンすると、低消費電流モード用電源回路３０のＮＰＮ型トランジスタ３３がオフ状態となり、アクティブモード用電源回路２０が定電圧の出力をオフすると、低消費電流モード用電源回路３０のＮＰＮ型トランジスタ３３がオン状態となる例を示したが、例えば、リレー等の切替回路を用いて負荷への定電圧の出力を切り替えるようにしても良い。
【００７０】
また、上記実施形態では、負荷であるＬＳＩ４０にマイコン用電源回路４１を備えた例を示したが、複合ＩＣ２の電源回路内にマイコン用電源回路４１を備えても良い。
【図面の簡単な説明】
【００７１】
【図１】本発明の一実施形態に係る電源回路を含む混成集積回路のブロック構成を示す図である。
【図２】アクティブモード用電源回路および低消費電流モード用電源回路の構成を示す図である。
【図３】従来の一般的なＥＣＵのブロック構成を示す図である。
【符号の説明】
【００７２】
１…混成集積回路、２…複合ＩＣ、３…ＥＣＵプリント板、１１…切替回路、
２０…アクティブモード用電源回路、２１…バンドギャップ回路、
２２…演算増幅器、２３…ＮＰＮ型トランジスタ、２４、２５…抵抗、
２６…スイッチ回路、３０…低消費電流モード用電源回路、
３１…ツェナーダイオード、３２…ＰＮＰ型トランジスタ、
３３…ＮＰＮ型トランジスタ、３４、３５…定電流回路、
４１…マイコン用電源回路、４２…マイコン、４４…Ａ／Ｄ変換回路、
５０…複合ＩＣ、６０…電源回路、６１…ＬＩＮ通信用バッファ。
【図１】
2006018409.tif 000003
【図２】
2006018409.tif 000004
【図３】
2006018409.tif 000005